(57)【要約】【課題】上方の蒸発器から流れ落ちるドレン水を下方の蒸発器の冷気によって氷結させることのないショーケースを提供する。【解決手段】上方の蒸発器３をショーケース本体１の前後方向及び幅方向にそれぞれ下り傾斜をなすように設けるとともに、下方の蒸発器３に対して下り傾斜方向にずれるように配置したので、上方の蒸発器３の一端側から流れ落ちるドレン水が下方の蒸発器３の近傍に落下することがなく、下方の蒸発器３の冷気によるドレン水の氷結を確実に防止することができる。これにより、通風路２の空気の流通がドレン水の氷結によって妨げられることがなく、下方の蒸発器３の冷却能力の低下を効果的に防止することができる。【選択図】図２
2007183061.tif 000002
【特許請求の範囲】
【請求項１】
ショーケース本体の内面に沿って形成された通風路と、通風路内に互いに上下に配置された一対の蒸発器とを備え、通風路内の少なくとも一方の蒸発器で冷却した空気によってショーケース本体内を冷却するようにしたショーケースにおいて、
上方の蒸発器を所定方向に下り傾斜をなすように設けるとともに、下方の蒸発器に対して下り傾斜方向にずれるように配置した
ことを特徴とするショーケース。
【請求項２】
前記上方の蒸発器をショーケース本体の前後方向及び幅方向にそれぞれ傾斜させた
ことを特徴とする請求項１記載のショーケース。
【請求項３】
前記各蒸発器の間に断熱板を設けた
ことを特徴とする請求項１または２記載のショーケース。
【発明の詳細な説明】
【技術分野】
【０００１】
本発明は、例えばコンビニエンスストア等で用いられるショーケースに関するものである。
【背景技術】
【０００２】
一般に、この種のショーケースとしては、上面または前面を開口したショーケース本体と、ショーケース本体の内面に沿って形成された通風路と、通風路内に互いに上下に配置された一対の蒸発器と、通風路内に配置された送風機とを備え、通風路内の少なくとも一方の蒸発器で冷却した空気をショーケース本体の開口部に沿って吐出することにより、ショーケース本体内を冷却するようにしたものが知られている（例えば、特許文献１参照。）。
【特許文献１】特開２００３−１４８８５４号公報
【発明の開示】
【発明が解決しようとする課題】
【０００３】
ところで、前記ショーケースでは、各蒸発器を傾斜させて配置することにより、ドレン水を蒸発器の一端側から流れ落ちるようにしているが、上方の蒸発器のドレン水は下方の蒸発器の近傍に流れ落ちるため、下方の蒸発器の冷気によりドレン水が氷結して空気の流通が妨げられ、下方の蒸発器の冷却能力を低下させるという問題点があった。
【０００４】
本発明は前記問題点に鑑みてなされたものであり、その目的とするところは、上方の蒸発器から流れ落ちるドレン水を下方の蒸発器の冷気によって氷結させることのないショーケースを提供することにある。
【課題を解決するための手段】
【０００５】
本発明は前記目的を達成するために、ショーケース本体の内面に沿って形成された通風路と、通風路内に互いに上下に配置された一対の蒸発器とを備え、通風路内の少なくとも一方の蒸発器で冷却した空気によってショーケース本体内を冷却するようにしたショーケースにおいて、上方の蒸発器を所定方向に下り傾斜をなすように設けるとともに、下方の蒸発器に対して下り傾斜方向にずれるように配置している。
【０００６】
これにより、上方の蒸発器が所定方向に下り傾斜をなすように設けられるとともに、下方の蒸発器に対して下り傾斜方向にずれるように配置されていることから、上方の蒸発器の一端側から流れ落ちるドレン水が下方の蒸発器の近傍に落下することがない。
【発明の効果】
【０００７】
本発明のショーケースによれば、上方の蒸発器の一端側から流れ落ちるドレン水が下方の蒸発器の近傍に落下することがないので、下方の蒸発器の冷気によるドレン水の氷結を確実に防止することができる。これにより、通風路の空気の流通がドレン水の氷結によって妨げられることがなく、下方の蒸発器の冷却能力の低下を効果的に防止することができる。
【発明を実施するための最良の形態】
【０００８】
図１乃至図６は本発明の一実施形態を示すもので、図１はショーケースの全体斜視図、図２はその側面断面図、図３は図２のＡ−Ａ線矢視方向断面図、図４は図２のＢ−Ｂ線矢視方向断面図、図５はショーケースの要部拡大側面図、図６はその要部拡大正面図である。
【０００９】
このショーケースは、上面を開口したショーケース本体１と、ショーケース本体１内の前面側、底面側及び背面側に沿って形成された通風路２と、通風路２内に互いに上下に配置された一対の蒸発器３と、通風路２内に配置された一対の送風機４とを備えている。
【００１０】
ショーケース本体１は、前面、背面、両側面及び底面を断熱壁１ａによって囲まれ、その下部には機械室１ｂが設けられている。断熱壁１ａの底面には排水孔１ｃが設けられ、排水孔１ｃは機械室１ｂ内の図示しないドレンタンクに接続されている。また、ショーケース本体１内の前面側、底面側及び背面側には内面板１ｄが設けられ、内面板１ｄの内側に図示しない商品を収納するようになっている。
【００１１】
通風路２はショーケース本体１の内面板１ｄと断熱壁１ａとの間に形成され、背面側の通風路２の上端には前方に向かって開口する空気吐出口２ａが設けられるとともに、前面側の通風路２の上端には後方に向かって開口する空気吸入口２ｂが設けられている。また、通風路２内は、前面側、底面側及び背面側に設けられた仕切板２ｃによって内側の通風路２と外側の通風路２に仕切られている。
【００１２】
各蒸発器３は、機械室１ｂ内の圧縮機５、凝縮器６、膨張機構（図示せず）に接続され、圧縮機５によって冷媒が流通するようになっている。各蒸発器３は内側の通風路２内と外側の通風路２内にそれぞれ設けられ、ショーケース本体１の前後方向中央よりも背面側に配置されている。この場合、各蒸発器３は前方に向かって下り傾斜をなすように設けられ、上方の蒸発器３は下方の蒸発器３よりも距離Ｌ1 だけ前方にずれるように配置されている。また、上方の蒸発器３はショーケース本体１の幅方向一方に向かって下り傾斜をなすように設けられるとともに、下方の蒸発器３よりも距離Ｌ2 だけ幅方向一方にずれるように配置されている。更に、各蒸発器３の間には断熱板７が設けられ、断熱板７及び仕切板２ｃには排水孔８が設けられている。
【００１３】
各送風機４は内側の通風路２内と外側の通風路２内にそれぞれ複数ずつ設けられ、内側の通風路２の空気と外側の通風路２の空気を互いに反対方向に流通させるようになっている。
【００１４】
以上のように構成されたショーケースにおいては、各蒸発器３の一方または両方に低温冷媒を流通することにより、空気吸入口２ｂから通風路２内に吸入された空気が蒸発器３によって冷却され、通風路２の空気吐出口２ａから吐出されることにより、ショーケース本体１の上面開口部にエアカーテンが形成される。
【００１５】
ここで、蒸発器３の除霜を行う場合は、一方の蒸発器３に低温冷媒を流通するとともに、他方の蒸発器３に高温冷媒を流通することにより、一方の蒸発器３によってショーケース本体１内を冷却しながら他方の蒸発器３が高温冷媒によって除霜される。その際、各蒸発器３は断熱板７によって断熱されているので、他方の蒸発器３を高温冷媒によって除霜しているときでも互いに温度差による影響を受けることがない。
【００１６】
また、前記ショーケースにおいては、上方の蒸発器３が冷却時に結露を生じた場合や除霜時に霜が融けた場合など、上方の蒸発器３からドレン水が流れ落ちると、図５及び図６の実線矢印に示すように上方の蒸発器３のドレン水は内側の通風路２の排水孔８から外側の通風路２に落下し、外側の通風路２の排水孔１ｃから図示しないドレンタンクに排出される。その際、上方の蒸発器３は前方に向かって下り傾斜をなすように設けられるとともに、下方の蒸発器３に対して下り傾斜方向に距離Ｌ1 ，Ｌ2 だけそれぞれずれるように配置されていることから、上方の蒸発器３の一端側から流れ落ちるドレン水が下方の蒸発器３の近傍に落下することがない。
【００１７】
このように、本実施形態のショーケースによれば、上方の蒸発器３を所定方向に下り傾斜をなすように設けるとともに、下方の蒸発器３に対して下り傾斜方向にずれるように配置したので、上方の蒸発器３の一端側から流れ落ちるドレン水が下方の蒸発器３の近傍に落下することがなく、下方の蒸発器３の冷気によるドレン水の氷結を確実に防止することができる。これにより、通風路２の空気の流通がドレン水の氷結によって妨げられることがなく、下方の蒸発器３の冷却能力の低下を効果的に防止することができる。
【００１８】
また、上方の蒸発器３をショーケース本体１の前後方向及び幅方向にそれぞれ傾斜させるようにしたので、図３の実線矢印に示すように上方の蒸発器３のドレン水を一箇所に集めて効率よく排水することができる。この場合、上方の蒸発器３が下方の蒸発器３に対して空気流通方向に直交する方向（ショーケース本体１の幅方向）にずれるように配置されるので、上方の蒸発器３のドレン水を下方の蒸発器３の空気流出経路から外れた位置に排水することができ、下方の蒸発器３によるドレン水の氷結をより確実に防止することができる。
【００１９】
更に、各蒸発器３の間に断熱板７を設けたので、他方の蒸発器３を高温冷媒によって除霜しているときでも各蒸発器３が互いに温度差による影響を受けることがなく、上方の蒸発器３の冷却能力及び他方の蒸発器３の除霜効率をそれぞれ低下させることがないという利点がある。
【００２０】
尚、前記実施形態では、上面を開口した平型のオープンショーケースを示したが、蒸発器を上下二段に設けたものであれば、前面を開口したオープンショーケースや開口部に扉を有するショーケースにも本発明を適用することができる。
【図面の簡単な説明】
【００２１】
【図１】本発明の一実施形態を示すショーケースの全体斜視図
【図２】ショーケースの側面断面図
【図３】図２のＡ−Ａ線矢視方向断面図
【図４】図２のＢ−Ｂ線矢視方向断面図
【図５】ショーケースの要部拡大側面図
【図６】ショーケースの要部拡大正面図
【符号の説明】
【００２２】
１…ショーケース本体、２…通風路、３…蒸発器、７…断熱板。
【図１】
2007183061.tif 000003
【図２】
2007183061.tif 000004
【図３】
2007183061.tif 000005
【図４】
2007183061.tif 000006
【図５】
2007183061.tif 000007
【図６】
2007183061.tif 000008